(57)【特許請求の範囲】
【請求項１】
中央連結部の左右それぞれに、左足部ふたを有する左足部袋、右足部ふたを有する右足部袋が設けられ、中央連結部の中央位置に取っ手を、左足部袋、右足部袋のそれぞれに、左足部連結具と右足部連結具が設けられており、前記各連結具は互いに連結できるようになっており、前記左足部袋及び前記右足部袋は、前記左足部連結具と前記右足部連結具が連結されていない状態で各々独立の長尺な袋を形成し、かつ前記左足部袋及び前記右足部袋がそれぞれ長靴の右足用と左足用の中に挿入し収納しておくことができる大きさの袋となっていることを特徴とした、避難時持ち出し袋。  
【発明の詳細な説明】
【技術分野】
【０００１】
本発明は、災害時に避難する際に、必要なものを素早く持ち出すために考案された袋に関するものである。
【背景技術】
【０００２】
災害に備えて、避難時に必要なものを素早く持ち出すために、袋に入れておく事がある。
【先行技術文献】
【特許文献】
【０００３】
【特許文献１】特開２０００−０６０６３８号公報
【発明の概要】
【発明が解決しようとする課題】
【０００４】
災害時に備えて食糧や水、衛生用具などを巾着袋やリュックなどに入れて保管しておく事が多い。また、一家庭の人数分を用意するので、家族の人数が多いと袋も大きくなり、持ち出す際に袋が重くなる。また、保管の場所を確保することも大変である。普段はまったく使わないので袋に入れたあと、収納した場所を忘れてしまうこともある。
【課題を解決するための手段】
【０００５】
上記課題を解決するため本発明の避難時持ち出し袋は、中央連結部（１）の左右それぞれに、左足部袋（２ａ）、右足部袋（２ｂ）が設けられ、中央連結部（１）の中央位置に取っ手（４）を、左足部袋（２ａ）、右足部袋（２ｂ）のそれぞれに、左足部連結具（６a）と右足部連結具（６ｂ）が設けられていることを特徴としている。
【発明の効果】
【０００６】
本発明の避難時持ち出し袋は、災害時の避難に有効な長靴の中に収納することができるので、袋の為の保管場所が不要であり、長靴から取り出す際にも取っ手を引っ張り上げるだけでよく、また首にかける事も出来るので、避難で移動する時には両手を使うことができ安全に避難することができる。
【図面の簡単な説明】
【０００７】
【図１】第一の実施例の避難時持ち出し袋の全体を示す斜視図
【図２】第一の実施例の避難時持ち出し袋の全体を示す平面図
【図３】第一の実施例の避難時持ち出し袋を長靴にセットしている状態を示す説明図
【図４】第一の実施例の避難時持ち出し袋を避難時に持ち出す状態を示す説明図
【図５】第二の実施例の避難時持ち出し袋の全体を示す斜視図
【図６】第二の実施例の避難時持ち出し袋の全体を示す平面図
【図７】第二の実施例の避難時持ち出し袋を長靴にセットしている状態を示す説明図
【発明を実施するための形態】
【０００８】
以下、本発明の第一の実施例の避難時持ち出し袋を、図面を参照しながら詳細に説明する。
この避難時持ち出し袋は、中央連結部（１）の左右辺それぞれに、左足部袋（２ａ）、右足部袋（２ｂ）が設けられ、中央連結部（１）の中央位置に取っ手（４）を、左足部袋（２ａ）、右足部袋（２ｂ）のそれぞれの端部に、左足部連結具（６a）と右足部連結具（６ｂ）が設けられている。
【０００９】
図１は、第一の実施例の全体を示す斜視図である。図２は、第一の実施例の全体を示す平面図である。
図に示すように、左足部袋（２ａ）は長尺な袋となっており、左足部袋開口部（５ａ）は中央連結部（１）側に設けられ、また、その左足部袋開口部（５ａ）を覆い蓋ができるように、中央連結部（１）より左足部ふた（３ａ）が設けられている。さらに袋体の中身がこぼれないように、左足部ふた（３ａ）内側と左足部袋開口部（５ａ）外側近傍は係止できるよう、ボタンや面ファスナーなどが設けられている。左足部袋（２ａ）の左足部袋開口部（５ａ）に対向する袋側端部には、左足部連結具（６ａ）が設けられている。
中央連結部（１）を中心として、左足部袋（２ａ）と対称に設けられた右足部袋（２ｂ）も同様に長尺な袋となっており、右足部袋開口部（５ｂ）は中央連結部（１）側に設けられ、また、その右足部袋開口部（５ｂ）を覆い蓋ができるように、中央連結部（１）より右足部ふた（３ｂ）が設けられている。さらに袋体の中身がこぼれないように、右足部ふた（３ｂ）内側と右足部袋開口部（５ｂ）外側近傍は係止できるよう、ボタンや面ファスナーなどが設けられている。右足部袋（２ｂ）の右足部袋開口部（５ｂ）と対向する袋側端部には、右足部連結具（６ｂ）が設けられている。
【００１０】
第一の実施例の避難時持ち出し袋の左足部袋（２ａ）や右足部袋（２ｂ）に、災害時の避難に必要と思われる簡易雨具、水、食料、タオル、シートなどを収納する。図３に示すように、普段、玄関や靴箱に置かれている長靴（７）の筒状部分左足、右足それぞれに左足部袋（２ａ）と右足部袋（２ｂ）を差し込み、避難用持ち出し袋をセットしておく。避難する時には、左右の長靴（７）の間にあたる、中央連結部（１）の取っ手（４）を引っ張り上げることで素早く抜き出せる。図４に示すように避難時持ち出し袋は、全体が長い帯状となるので、首などに掛けることができ、両手をふさぐことなく避難できる。この時、左足部連結具（６ａ）と右足部連結具（６ｂ）は互いに係止することができ、連結すると避難袋は輪状になり、首に掛けながらも落とすことなく避難できる。また輪状になるので、体の小さな子供は片腕を輪から通し、タスキのように避難時持ち出し袋を装着することができる。
中央連結部（１）には、衝撃を吸収する緩衝材を入れておき、中央連結部（１）が頭頂部分に当たるようにかぶると、防災頭巾の代わりに使うこともできる。
取っ手（４）部分に蓄光素材を施すと、停電で暗い中でも、長靴と避難袋を探しだしやすくなる。
【００１１】
長靴は、津波、降雨、水道管の破裂による悪路や、がれき、山道の草や枯れ木など、足場が悪く危険な時に足首より上部分が保護されて、災害の避難時には非常に有効な靴である。また、ほとんどの場合玄関近くに収納されている。そのため、使用頻度は少ないが、収納場所の認識度は高い。本発明品は、長靴の中にセットすることで、特別に収納場所を必要とせず、通常の長靴の保管場所とスペースを共有することができる。さらに緊急避難時には長靴をはこうとすることと同時に、避難時持ち出し袋を手にとることが出来るので、素早く必要なものを持ち出し、避難することができる。
【００１２】
上記実施例では、長靴の筒部分に入れる袋が左右の各１つずつであるが、第二の実施例として図５のように、左足部袋（２ａ）と右足部袋（２ｂ）のそれぞれの延長上に、左足部第２袋（８ａ）、右足部第２袋（８ｂ）を設けてもよい。袋部分を増やすことによって、乾電池などの小さな物を仕訳して収納することができる。また、各第２袋にはそれぞれに左足部第２袋開口部（９ａ）、右足部第２袋開口部（９ｂ）が、その先端にはそれぞれに左足部連結具（６ａ）、右足部連結具（６ｂ）が設けられている。また、左足部第２袋開口部（９ａ）と右足部第２袋開口部（９ｂ）の開閉は、ファスナーやスナップボタン、面ファスナーなどで構成される。
【００１３】
図５、図６に示すように、左足部袋（２ａ）と左足部第２袋（８ａ）は、左足部袋連結部（１０ａ）により区切られており、図7に示すように、長靴にセットした時に左足部袋(２ａ)は足首から上側に、左足部袋連結部（１０ａ）を介して左足部第２袋（８ａ）は足首よりつま先方向にセットされる。左足部連結部（１０ａ）は、単に絞った形状でもよいが、図５、図６に示すように左足部袋開口部（５ａ）は外側方向に、左足部第２袋開口部（９ａ）は正面を向くように切り替えられるよう、左足部袋連結部（１０ａ）を構成するとよい。右足部袋（２ｂ）と右足部第２袋（８ｂ）も同様になるよう、右足部袋連結部（１０ｂ）を構成するとよい。
【００１４】
左右の袋は左右の各連結部に、辺の状態でつながっている必要ない。例えば紐や金具でつなげてもよい。また、左足部連結具（６ａ）と右足部連結具（６ｂ）は、各袋体の端部にある必要はなく、どこで連結できるようにしてもよい。避難用持ち出し袋は、長靴だけに限らず、ブーツやガーデニンブーツなどにセットしておくこともできる。また、避難用持ち出し袋の素材には、抗菌、防臭の布を使うと、靴のケアにもなる。
【符号の説明】
【００１５】
１      中央連結部
２a     左足部袋
２b     右足部袋
３a     左足部ふた
３b     右足部ふた
４      取っ手
５ａ    左足部袋開口部
５ｂ    右足部袋開口部
６ａ    左足部連結具
６ｂ    右足部連結具
７      長靴
８ａ    左足部第２袋
８ｂ    右足部第２袋
９ａ    左足部第２袋開口部
９ｂ    右足部第２袋開口部
１０ａ  左足部袋連結部
１０ｂ  右足部袋連結部
【図１】
0006360990.tif 000002
【図２】
0006360990.tif 000003
【図３】
0006360990.tif 000004
【図４】
0006360990.tif 000005
【図５】
0006360990.tif 000006
【図６】
0006360990.tif 000007
【図７】
0006360990.tif 000008